(57)【要約】  本発明は、カメラモジュールと、携帯型コンピュータ装置にデータを無線送信するように構成された電源モジュールとを含むワイヤレスカメラシステムに関する。カメラモジュールは、画像センサ又はマイクロフォンからデータを生成するように構成することができる。電気入力は、一次電池を充電するために直流電流を受けるように構成することができ、電池レセプタクルは、物理的なカメラレセプタクル及び電気カメラカプラーの両方を含むことができる。
2020515201.tif 000002
【特許請求の範囲】
【請求項１】
携帯型コンピュータ装置に使用するためのワイヤレス外部カメラシステムであって、
総容積が２０立方インチ（約３２７．７ｍｍ３）未満のスマートフォン、タブレット、タブレットフォンのうちの少なくとも一つを含む携帯型コンピュータ装置と、
３立方インチ（約４９．２ｍｍ３）未満の外形寸法を有するカメラモジュールであって、電気カプラー、二次電池、レンズ、イメージセンサ、回路基板、及びマイクロフォンを含み、かつ、前記イメージセンサ又はマイクロフォンからデータを生成するように構成されるカメラモジュールと、
２０立方インチ（約３２７．７ｍｍ３）未満の外形寸法を有する電源モジュールであって、一次電池、電気入力、及びカメラレセプタクルを含み、前記電気入力が、前記一次電池を充電するための直流電流を受けるように構成され、かつ、電池レセプタクルが、物理的なカメラレセプタクル及び電気カメラカプラーを含む、電源モジュールと、
を備え、
結合状態にあっては、前記カメラモジュールが前記物理的なカメラレセプタクル内に配置され、かつカメラモジュールの電気カプラーと電源モジュールの電気カメラカプラーとが電気的結合され、
分離状態にあっては、前記カメラモジュールが前記電源モジュールから物理的に分離され、
前記携帯型コンピュータ装置は、前記カメラモジュールによって生成された前記データを無線で受信するように構成され、かつ、
前記カメラモジュールは、ワイヤレス通信モジュールをさらに含み、かつ、分離された状態で、前記データを前記携帯型コンピュータ装置に送信するように構成されている、
ワイヤレス外部カメラシステム。
【請求項２】
前記カメラモジュールは、前記データを記録するように構成されたメモリーモジュールをさらに含む、請求項１に記載のシステム。
【請求項３】
前記カメラモジュールは、実質的に正の円筒状の外側形状を有し、前記電源モジュールの前記物理的なカメラレセプタクルは、前記カメラモジュールの前記実質的に正の円筒状の外側形状に対応する実質的に負の円筒状の形状を有する、請求項１に記載のシステム。
【請求項４】
前記電源モジュールの前記電気カメラカプラーが、前記物理的なカメラレセプタクルの前記実質的に負の円筒形の形状の実質的に平坦な底面上に配置される、請求項３に記載のシステム。
【請求項５】
前記電源モジュールの前記電気カメラカプラーが、前記物理的なカメラレセプタクルの前記実質的に負の円筒形の形状の湾曲した側面上に配置される、請求項３に記載のシステム。
【請求項６】
前記電気カメラカプラーは２つの電気的に独立した電気カプラーを含む、請求項３に記載のシステム。
【請求項７】
前記結合状態は、前記カメラモジュールの一部が三次元的に前記電源モジュールの外部となるように、前記カメラモジュールを前記物理的なカメラレセプタクル内に部分的に配置することを含む、請求項１に記載のシステム。
【請求項８】
前記カメラモジュールの、前記電源モジュールから三次元的に外部となる部分は、前記結合状態において、前記電源モジュールから少なくとも半インチ（１２．７ｍｍ）延びる、請求項７に記載のシステム。
【請求項９】
前記電源モジュールの前記物理的なカメラコンセントは、前記カメラモジュールの容積の９０％未満の容積を含む、請求項１に記載のシステム。
【請求項１０】
携帯型コンピュータ装置に使用するためのワイヤレス外部カメラシステムであって、
総容積が２０立方インチ（約３２７．７ｍｍ３）未満のスマートフォン、タブレット、タブレットフォンのうちの少なくとも一つを含む携帯型コンピュータ装置と、
３立方インチ（約４９．２ｍｍ３）未満の外形寸法を有するカメラモジュールであって、電気カプラー、二次電池、レンズ、イメージセンサ、回路基板、及びマイクロフォンを含み、かつ、イメージセンサ又はマイクロフォンからデータを生成するように構成されるカメラモジュールと、
２０立方インチ（約３２７．７ｍｍ３）未満の外形寸法を有する電源モジュールであって、一次電池、電気入力、及びカメラレセプタクルを含み、前記電気入力が、前記一次電池を充電するための直流電流を受けるように構成され、かつ、電池レセプタクルが、物理的なカメラレセプタクル及び電気カメラカプラーを含む、電源モジュールと、
を備え、
結合状態にあっては、前記カメラモジュールが前記物理的なカメラレセプタクル内に配置され、かつカメラモジュールの電気カプラーと電源モジュールの電気カメラカプラーとが電気的結合され、
分離状態にあっては、前記カメラモジュールが前記電源モジュールから物理的に分離され、
前記携帯型コンピュータ装置は、前記カメラモジュールによって生成された前記データを無線で受信するように構成され、かつ、
前記カメラモジュールは、ワイヤレス通信モジュールをさらに含み、かつ、分離された状態で、前記データを前記携帯型コンピュータ装置に自動的に送信するように構成されている、
ワイヤレス外部カメラシステム。
【請求項１１】
前記結合状態は、前記カメラモジュールの前記電気カプラーと前記電源モジュールの前記電気カメラカプラーとの間の電気結合を介して、前記電源モジュールの前記一次電池から前記カメラモジュールの前記二次電池へ電流を電気的に伝送することを含む、請求項１に記載のシステム。
【請求項１２】
携帯型コンピュータ装置に使用するためのワイヤレス外部カメラシステムであって、
総容積が２０立方インチ（約３２７．７ｍｍ３）未満のスマートフォン、タブレット、タブレットフォンのうちの少なくとも一つを含む携帯型コンピュータ装置と、
３立方インチ（約４９．２ｍｍ３）未満の外形寸法を有するカメラモジュールであって、電気カプラー、二次電池、レンズ、イメージセンサ、回路基板、及びマイクロフォンを含み、かつ、前記イメージセンサ又はマイクロフォンからデータを生成するように構成されるカメラモジュールと、
２０立方インチ（約３２７．７ｍｍ３）未満の外形寸法を有する電源モジュールであって、一次電池、電気入力、及びカメラレセプタクルを含み、前記電気入力が、前記一次電池を充電するための直流電流を受けるように構成され、かつ、電池レセプタクルが、物理的なカメラレセプタクル及び電気カメラカプラーを含む、電源モジュールと、
を備え、
結合状態にあっては、前記カメラモジュールが前記物理的なカメラレセプタクル内に配置され、かつカメラモジュールの電気カプラーと電源モジュールの電気カメラカプラーとが電気的結合され、
分離状態にあっては、前記カメラモジュールが前記電源モジュールから物理的に分離され、
前記携帯型コンピュータ装置は、前記カメラモジュールによって生成された前記データを無線で受信するように構成され、
前記カメラモジュールは、前記データを記録するように構成されたメモリーモジュールをさらに含み、
前記電源モジュールは、ワイヤレス通信モジュールをさらに含み、前記結合状態で前記カメラモジュールから前記データを受信するように構成され、かつ、前記データは、前記結合状態で前記携帯型コンピュータ装置に無線で送信される、ことを特徴とする
ワイヤレス外部カメラシステム。
【請求項１３】
前記電源モジュールは、前記結合状態において前記カメラモジュールからの前記データを記録するように構成されたメモリーモジュールをさらに含む、請求項１２に記載のシステム。
【請求項１４】
前記カメラモジュールは、実質的に正の円筒状の外側形状を含み、かつ、前記電源モジュールの物理的なカメラレセプタクルは、前記カメラモジュールの実質的に正の円筒状の外側形状に対応する実質的に負の円筒状の形状を含む、請求項１２に記載のシステム。
【請求項１５】
前記電源モジュールの前記電気カメラカプラーが、前記物理的なカメラレセプタクルの実質的に負の円筒形の形状の実質的に平坦な底面上に配置される、請求項１４に記載のシステム。
【請求項１６】
前記電源モジュールの前記電気カメラカプラーが、前記物理的なカメラレセプタクルの前記実質的に負の円筒形の形状の湾曲した側面上に配置される、請求項１４に記載のシステム。
【請求項１７】
前記結合状態は、前記カメラモジュールの一部が三次元的に前記電源モジュールの外部となるように、前記カメラモジュールを前記物理的なカメラレセプタクル内に部分的に配置することを含む、請求項１２に記載のシステム。
【請求項１８】
前記カメラモジュールの、前記電源モジュールの三次元的に外部となる部分は、前記結合状態において、前記電源モジュールから少なくとも半インチ（１２．７ｍｍ）延びる、請求項１７に記載のシステム。
【請求項１９】
前記電源モジュールの前記物理的なカメラコンセントは、前記カメラモジュールの容積の９０％未満の容積を含む、請求項１８に記載のシステム。
【請求項２０】
前記電源モジュールは、前記結合状態にある前記ワイヤレス通信モジュールを介して、データを前記携帯型コンピュータ装置に自動的に送信するように構成される、請求項１２に記載のシステム。
【発明の詳細な説明】
【技術分野】
【０００１】
本発明は、一般に、ワイヤレスカメラシステムに関する。特に、本発明は、携帯型コンピュータデバイスシステムにデータを無線で独立して又は協調して送信するように構成されたカメラモジュール及び電源モジュールを含むワイヤレスカメラシステムに関する。
【０００２】
本出願は、２０１７年２月２７日に出願された合衆国仮出願第６２／４６３，７５９号の優先権を主張するものであり、その内容は、参照により援用される。
【背景技術】
【０００３】
スマートフォン、タブレットフォン、タブレット等の携帯型コンピューティングデバイス(ＰＣＤ) が、工業化された人々の間に広く存在するようになった。これらＰＣＤは、独立した通信及びコンピュータ処理によって特徴づけられる。例えば、ＰＣＤは、一つ以上のデータ周波数（すなわち、セルラー、Bluetooth（登録商標）、Wi-Fi) を介して無線通信することができる無線を含む。これらＰＣＤは、さらに、該ＰＣＤが、プロセッサ、電源、メモリーモジュールなどを含む他のコンピュータデバイスから独立して機能することを可能にするコンピュータコンポーネントを含む。
【０００４】
ＰＣＤは、カメラ、タッチスクリーン、生体計測センサ、コネクタ、マイクロフォンなどの様々な入力コンポーネントを含む。これによりユーザは、様々な媒体を介して、ＰＣＤにデータを入力することができる。例えば、ユーザは、ＰＣＤ内の集積カメラを介してビデオ又は写真データを入力することができる。次いで、ＰＣＤは、ビデオ又は写真データを、ディスプレイスクリーンのような出力コンポーネント上で処理及び表示することができる。データの処理は、種々のアプリケーションを介した選択的操作を含み得る。
【発明の概要】
【発明が解決しようとする課題】
【０００５】
従来の集積ＰＣＤをベースとしたカメラコンポーネントは、その動作及び利便性において制限される。殆どのＰＣＤは、一つ以上の集積化された写真及び／又はビデオカメラの構成要素を含む。しかしながら、集積カメラコンポーネントは、本質的に、ＰＣＤデバイス上の位置に制限される。従ってユーザは、ＰＣＤのディスプレイスクリーン上に画像を捕捉しかつ写真／ビデオコンポーネントのリアルタイム入力を見るために、写真／ビデオコンポーネントの位置決め及び方向付けにおいて本質的に制限される。同様に、ある時間にわたるビデオ補足は、ユーザに、所望のビデオ視野角を捕捉するようにＰＣＤ全体を物理的に位置決めすることを強いるため、面倒である。
【０００６】
GO PRO（登録商標）タイプのデバイスのような外部カメラコンポーネントは、位置決めに関しては便利だが、一つ以上のコンピュータデバイスへの面倒なデータ転送を必要とする。多くの外部コンポーネントは、追加のコンポーネント(すなわち、ＳＤカード）無しではＰＣＤに直接転送できないデジタル媒体上にデータを転送する。従って、従来の外部カメラは、データ記録のための最適な位置決めを可能にしながら、データをＰＣＤに効率的には送信しない。
【０００７】
従って、最適な位置決めと効率的な無線データ転送を提供するために、ポータブルコンピューティングデバイスと一体化したワイヤレスカメラシステムが産業界で必要とされている。
【課題を解決するための手段】
【０００８】
本発明は、携帯型コンピュータ装置にデータを無線送信するように構成されたカメラモジュール及び電源モジュールを含むワイヤレスカメラシステムに関する。携帯型コンピュータ装置は、２０立方インチ（約３２７．７ｍｍ３）未満の全容積を有するスマートフォン、タブレット、又はタブレットフォンであってもよい。カメラモジュールは、３立方インチ（約４９．２ｍｍ３）未満の外形寸法を有することができ、かつ、電気カプラー、二次電池、レンズ、イメージセンサ、回路基板、及びマイクロフォンをさらに含むことができる。カメラモジュールは、画像センサ又はマイクロフォンからデータを生成するように構成することができる。電源モジュールは、２０立方インチ（約３２７．７ｍｍ３）未満の外形寸法を有することができ、かつ、一次電池、電気入力、及びカメラレセプタクルをさらに含むことができる。電気入力は、一次電池を充電するために直流電流を受け取るように構成することができ、かつ、電池レセプタクルは、物理的なカメラレセプタクル及び電気カメラカプラーの両方を含むことができる。このシステムは、カメラモジュールが物理的なカメラレセプタクル内に配置される結合状態と、カメラモジュールの電気カプラー及び電源モジュールの電気カメラカプラー間の電気的結合と、を含んでもよい。このシステムは、カメラモジュールが電源モジュールから物理的に分離されているか又は独立している分離状態を含んでもよい。携帯型コンピュータ装置は、カメラモジュールによって生成されたデータを無線で受信するように構成することができる。第１実施形態では、カメラモジュールは、分離された状態でデータを携帯コンピュータ装置に無線で送信するように構成されたワイヤレス通信モジュールをさらに含むことができる。第２実施形態では、電源モジュールは、結合状態のカメラモジュールからデータを受信し、かつ、ワイヤレス通信モジュールを介して、結合状態の携帯コンピュータ装置にデータを無線で送信するように構成することができる。
【０００９】
本発明の実施形態は、ワイヤレスカメラシステムの分野における重要な進歩を提供する。従来の外部カメラシステムは、一般に、統合されたワイヤレス伝送システムを備えることができず、そのためデータ転送プロセスが煩雑となっていた。同様に、いくつかの外部カメラシステムは、カメラモジュールとポータブルコンピュータシステムとの間に物理的結線を必要とし、データ捕捉を面倒にする。本発明の実施形態は、データ収集の機能性及び携帯型コンピュータ装置への転送の両方を最適化する携帯型カメラシステムを提供する。第１実施形態は、データ取得及びデータ伝送の両方がカメラモジュールによって処理される「スマートカメラ」に関する。第１実施形態では、電源モジュールは「ダムコンポーネント (dumb component) 」として機能し、カメラモジュール内の電池を充電するだけの機能を果たす。第２実施形態は「スマート電源モジュール」に関するものであり、カメラモジュールは、取り込まれたデータを記録し、その後、電気的結合を介してデータを電源モジュールに直接転送しなければならない。その後、電源モジュールは、データを携帯コンピュータ装置に無線送信することができる。最適なカメラ機能及びデータ転送機能の両方を可能にするカメラモジュールと電源モジュールとの新規な統合は、従来技術には存在しない。
【００１０】
本発明のこれらの及び他の特徴及び利点は、以下の説明及び添付の特許請求の範囲において説明され、あるいはより完全に明らかになるであろう。特徴及び利点は、添付の特許請求の範囲において特に指摘されている装置及び組み合わせによって実現され得る。さらに、本発明の特徴及び利点は、本発明の実施によって学習することができ、又は以下に記載するように、明細書から自明である。
【００１１】
本発明の理解のため、以下、図面を参照した特定の態様を例に詳細に説明する。図面は、以下の説明と共に本発明の原理を示し、説明する。図は、明確にするために、物理的寸法を誇張している場合もある。異なる図面における同一の参照番号は、同一の要素を表しており、したがってそれらの説明は省略する。
【図面の簡単な説明】
【００１２】
【図１Ａ】本発明の第１実施形態によるワイヤレスカメラシステムの概略図である。
【図１Ｂ】本発明の第１実施形態によるワイヤレスカメラシステムの概略図である。
【図１Ｃ】本発明の第１実施形態によるワイヤレスカメラシステムの概略図である。
【図２Ａ】本発明の第２実施形態によるワイヤレスカメラシステムの概略図である。
【図２Ｂ】本発明の第２実施形態によるワイヤレスカメラシステムの概略図である。
【図２Ｃ】本発明の第２実施形態によるワイヤレスカメラシステムの概略図である。
【発明を実施するための形態】
【００１３】
本発明は、携帯型コンピュータ装置にデータを無線送信するように構成されたカメラモジュール及び電源モジュールを含むワイヤレスカメラシステムに関する。携帯型コンピュータ装置は、２０立方インチ（約３２７．７ｍｍ３）未満の全容積を有するスマートフォン、タブレット、又はタブレットフォンであってもよい。カメラモジュールは、３立方インチ（約４９．２ｍｍ３）未満の外形寸法を有することができ、かつ、電気カプラー、二次電池、レンズ、イメージセンサ、回路基板、及びマイクロフォンをさらに含んでいてもよい。カメラモジュールは、画像センサ又はマイクロフォンからデータを生成するように構成することができる。電源モジュールは、２０立方インチ（約３２７．７ｍｍ３）未満の外形寸法を有することができ、かつ、一次電池、電気入力、及びカメラレセプタクルをさらに含むことができる。電気入力は、一次電池を充電するために直流電流を受け取るように構成することができ、かつ、電池レセプタクルは、物理的なカメラレセプタクル及び電気カメラカプラーの両方を含むことができる。このシステムは、カメラモジュールが物理的なカメラレセプタクル内に配置され、かつ、カメラモジュールの電気カプラーと電源モジュールの電気カメラカプラーとが電気的結合される結合状態を含んでもよい。このシステムは、カメラモジュールが電源モジュールから物理的に分離されているか、又は独立している分離状態を含んでもよい。携帯型コンピュータ装置は、カメラモジュールによって生成されたデータを無線で受信するように構成することができる。第１実施形態では、カメラモジュールは、分離された状態でデータを携帯コンピュータ装置に無線で送信するように構成されたワイヤレス通信モジュールをさらに含むことができる。第２実施形態では、電源モジュールは、結合状態のカメラモジュールからデータを受信し、ワイヤレス通信モジュールを介して結合状態の携帯コンピュータ装置にデータを無線で送信するように構成することができる。また、実施形態は視覚カメラシステムに関して説明するが、本発明の教示は、限定はされないものの、オーディオ、位置、運動、赤外線、顕微鏡などを含む他の感知システムを含む他の領域にも適用可能であることが理解されよう。
【００１４】
図１Ａないし図１Ｃは、本発明の第１実施形態によるワイヤレスカメラシステムの概略図であり、全体として符号１００で示されている。図示されたシステム１００は、携帯型コンピュータ装置１６０、カメラモジュール１２０、及び電源モジュール１４０を含む。携帯型コンピュータ装置１６０は、統合されたワイヤレスデータ転送機能、電源、表示スクリーン、及び少なくとも一つのユーザ入力装置、を含む任意の小型携帯型コンピュータ装置であってもよい。さらに、ＰＣＤは、外部形状に関し２０立方インチ（約３２７．７ｍｍ３）未満のものとして定義される。ＰＣＤの例としては、スマートフォン、ミニコンピュータ、電子リーダー、タブレット、又はタブレットフォンが挙げられるが、これらのものに限定されない。カメラモジュール１２０は、外部形状に関し３立方インチ（約４９．２ｍｍ３）未満のものである外部ユニットである。第１実施形態では、カメラモジュール１２０は、図１Ａに示すように、電池、レンズ、センサ、加速度計、メモリー、Wifi/Bluetooth アンテナ、マイクロフォン、及び／又は, プロセッサを含むことができる。カメラモジュールのコンポーネントは、マイクロフォン、センサ、及び加速度計から、オーディオ、ビデオ、及び位置データをそれぞれ取り込むように構成される。カメラモジュール１２０は、電源モジュールと係合するように構成された電気カプラーをさらに含むことができる。第１実施形態では、電源モジュール１４０は、図１Ａに示すように、電池とＣＰＵ(中央処理装置)を含むことができる。電源モジュール１４０は、電気カメラカプラー及び物理的なカメラレセプタクルを備えるカメラレセプタクルをさらに含んでいてもよい。
【００１５】
分離状態(図１Ｂ)では、カメラモジュール１２０は、Wi-Fi 又は Bluetooth（登録商標） 接続を介して、データ１８０をＰＣＤ１６０に無線で送信するように構成されてもよい。データ１８０のワイヤレス伝送は、伝送モードに応じて連続的であっても断続的であってもよい。種々の周知のデータ転送プロトコル、例えば、バッファリング、パッケージング、インデックス付け、暗号化などを組み込むことができる。加えて、ワイヤレスデータ転送１８０は、双方向通信を含み、ＰＣＤ１６０がデータの捕捉及び/又は転送に影響を与えることを可能にする。例えば、ＰＣＤ１６０は、ビデオ及び位置データを記録する間、オーディオデータのみを無線で送信するようにカメラに指示することができる。
【００１６】
結合状態（図１Ｃ）では、カメラモジュール１２０は、カメラレセプタクル１３０を介して電源モジュール１４０に結合される。カメラモジュール１２０と電源モジュール１４０との間の結合は、電気的結合及び物理的結合の両方を含む。電気的結合は、カメラモジュール１２０の電気カプラーと電源モジュール１４０の電気カメラカプラーとの間の電気結合を含む。物理的結合は、電源モジュール１４０の物理的カメラレセプタクル内の、カメラモジュール１２０の物理的結合を含む。図示の実施形態では、物理的カメラレセプタクルは、カメラモジュール１２０の外側の略円筒形状を受け入れて支持するように構成された凹部である。カメラモジュール１２０と電源モジュール１４０との間の物理的結合もまた、カメラモジュール１２０と電源モジュール１４０との間の電気的結合に係合するように構成されることが理解されるであろう。例えば、カメラモジュール１２０の電気カプラーは、図示の下端に配置されてもよく、かつ、電源モジュールカメラの電気カプラーは、円筒状凹部の内部底部に配置されてもよい。従って、電源モジュール１４０の凹部内のカメラモジュール１２０の位置決めは、それらの間の電気的結合と自動的に係合する。電源モジュール１４０は、さらに、電源モジュールの電池を充電することができる電気入力１５０を含む。電気入力１５０は、ＵＳＢ、ミニＵＳＢ、マイクロＵＳＢ等の任意のタイプの電気カプラーとすることができる。ユーザは、電源入力１５０をＡＣコンセント又は他のＤＣ電源（すなわち、ＵＳＢ電源出力）などの電源に接続することによって、電源モジュールの電池を選択的に充電することができる。
【００１７】
次に、図２Ａないし図２Ｃを参照する。図２Ｃは、全体として符号２００で示すワイヤレスカメラシステムの第２実施形態の概略図である。図示されたシステム２００もまた、携帯型コンピュータ装置２６０、カメラモジュール２２０、及び電源モジュール２６０を含む。携帯型コンピュータ装置２６０は、統合された無線データ転送機能、電源、表示スクリーン、及び少なくとも一つのユーザ入力装置を含む任意の小型携帯型コンピュータ装置であってもよい。さらに、ＰＣＤは、外部形状に関し２０立方インチ（約３２７．７ｍｍ３）未満のものとして定義される。ＰＣＤの例としては、スマートフォン、ミニコンピュータ、電子リーダー、タブレット、又はタブレットフォンが挙げられるが、これらに限定されない。カメラモジュール２２０は、外部形状に関し３立方インチ（約４９．２ｍｍ３）未満の外部ユニットである。第２実施形態では、カメラモジュール２２０は、図２Ａに示すように、電池、レンズ、センサ、加速度計、メモリー、及びマイクロフォンを含むことができる。カメラモジュールのコンポーネントは、マイクロフォン、センサ、及び加速度計からのオーディオ、ビデオ、及び位置データをそれぞれ取り込むように構成される。カメラモジュール２２０は、電源モジュール２４０と係合するように構成された電気カプラーをさらに含むことができる。第２実施形態では、電源モジュール２４０は、図２Ａに示すように、電池、プロセッサ、Wi-Fi/Bluetooth アンテナ、及びメモリーを含んでもよい。電源モジュール２４０は、電気カメラカプラーを備えるカメラレセプタクルと、物理カメラレセプタクルとをさらに含むことができる。
【００１８】
分離状態（図２Ｂ）では、カメラモジュール２２０は、データを独立して捕捉し、記憶するように構成することができる。カメラモジュール２２０は、ユーザがカメラモジュール２２０のデータ捕捉及び記憶装置を制御できるようにするために、一つ以上のボタンを含んでもよい。例えば、ユーザは、カメラモジュールの外部に配置された一つ以上のボタン（図示せず）を押すことによって、オーディオ、ビデオ、及び／又は位置データの捕捉及び記録を選択的に係合／解除することができる。さらに、カメラモジュール２２０は、パラメータを制御するために一つ以上のセンサを利用することができる。例えば、加速度計を使用して、カメラモジュール２２０の動きを、オーディオ、ビデオ、及び／又は位置データの捕捉及び記録の作動と相関させることができる。この分離された状態では、電源モジュール２４０は、電気入力２５０を介して外部電源に電気的に接続されてもよい。電源モジュール２４０は、さらに、電源モジュールの電池を充電することができる電気入力２５０を含む。電気入力２５０は、ＵＳＢ、ミニＵＳＢ、マイクロＵＳＢ等の任意のタイプの電気カプラーとすることができる。ユーザは、電源入力２５０をＡＣコンセント又は他のＤＣ電源（すなわち、ＵＳＢ電源出力）などの電源に接続することによって、電源モジュールの電池を選択的に充電することができる。
【００１９】
結合状態（図２Ｃ）では、カメラモジュール２２０は、カメラレセプタクル２３０を介して電源モジュール２４０に結合される。カメラモジュール２２０と電源モジュール２４０との間の結合は、電気的結合と物理的結合の両方を含む。電気結合は、カメラモジュール２２０の電気カプラーと電源モジュール２４０の電気カメラカプラーとの間の電気結合を含む。物理的結合は、電源モジュール２４０の物理的カメラレセプタクル内のカメラモジュール２２０の物理的結合を含む。図示の実施形態では、物理的カメラレセプタクルは、カメラモジュール２２０の実質的に円筒状の外形を受け入れかつ支持するように構成された凹部である。カメラモジュール２２０と電源モジュール２４０との間の物理的結合もまた、カメラモジュール２２０と電源モジュール２４０との間の電気的結合に係合するように構成されることが理解されるであろう。例えば、カメラモジュール２２０の電気カプラーを図示の下端に配置することができ、電源モジュールカメラの電気カプラーを円筒状凹部の内部底部に配置することができる。従って、電源モジュール２４０の凹部内のカメラモジュール２２０の位置決めは、それらの間の電気的結合と自動的に係合する。第１実施形態とは異なり、カメラモジュール２２０と電源モジュール２４０との間の電気的結合によって、カメラモジュールは、カメラモジュール２２０メモリーから電源モジュール２４０へデータを転送させる。その後、電源モジュール２４０は、２８０を無線でデータをＰＣＤ２６０に送信することができる。電源モジュール２４０は、オプションとして、電源モジュール２４０のメモリー上にデータを記録するように構成することもできる。電源モジュール２４０とＰＣＤ２６０との間のワイヤレス伝送２８０は、双方向であっても一方向であってもよいことが理解されよう。双方向無線通信は、ＰＣＤ２６０が、カメラモジュール２２０及び／又は電源モジュール２４０の機能性を変更する能力を含んでもよい。
【００２０】
カメラモジュールの実施形態は、画像センサによって捕捉された生のビデオストリームの処理を組み込むことができることが理解されるであろう。このステップは、モザイク処理、色補正、ガンマ補正、局所コントラスト増強、ノイズフィルタリング、及びシャープニングを含み得る。ビデオストリームをストレージに保存する前に、ビデオ圧縮を使用してもよい。ビデオ処理及び圧縮は、通常は、ビデオカメラにとって最も電力を消費する操作である。カメラモジュールの電力を節約し、したがってそのサイズを小さくするために、処理及び圧縮の一部又は全部を、電源モジュール又はＰＣＤに移動させてもよい。一実施形態では、カメラモジュールは、生の画像センサデータのみを記憶し、電源モジュール及び／又はＰＣＤはすべてのビデオ処理及び圧縮を行うであろう。あるいは、カメラモジュールは、予備処理及び圧縮のみを行うことができる。例えば、カメラモジュールは、カメラモジュール上のＤＲＡＭチップの必要性を排除するために、モーションＪＰＥＧのみを処理することができる。このシナリオでは、電源モジュール及び／又はＰＣＤは、ストリームの圧縮を完了するような二次処理及び圧縮を実行することができる。あるいは、カメラモジュールは、処理及び圧縮の大部分を実行し、一方、電子画像安定化（ＥＩＳ）のようないくつかの小さな最終処理は、電源モジュール及び／又はＰＣＤによって実行することができる。
【００２１】
図１に示されるか又は上述される実施形態の一つ以上の部分又は概念を含む様々な代替システム設計が本発明に従って実施され得ることに留意されたい。上述の実施形態の全体又は一部の組み合わせを含む種々の他の実施形態が企図されている。
【符号の説明】
【００２２】
１００  ワイヤレスカメラシステム
１２０  カメラモジュール
１３０  カメラレセプタクル
１４０  電源モジュール
１５０  電気入力
１６０  携帯型コンピュータ装置（ＰＣＤ）
２００  ワイヤレスカメラシステム
２２０  カメラモジュール
２３０  カメラレセプタクル
２４０  電源モジュール
２５０  電気入力
２６０  携帯型コンピュータ装置（ＰＣＤ）
【図１Ａ】
2020515201.tif 000003
【図１Ｂ】
2020515201.tif 000004
【図１Ｃ】
2020515201.tif 000005
【図２Ａ】
2020515201.tif 000006
【図２Ｂ】
2020515201.tif 000007
【図２Ｃ】
2020515201.tif 000008
【国際調査報告】
2020515201.tif 000009